(57)【要約】【課題】本発明は、リードスクリューの回転によって移動ユニットを所定の案内方向に移動させる駆動装置等に関し、移動ユニットのねじ山がリードスクリューのねじ山に乗り上げてしまう「食い付き」の発生を確実に防止した駆動装置等を提供することを目的とする。【解決手段】リードスクリュー２１０に形成されたねじ山２１１と噛合し、そのリードスクリュー２１０の回転によって、フォーカスレンズ１１３の光軸方向に合わせられた案内方向に移動する、フォーカスレンズ１１３を保持するフォーカスレンズ保持枠２２２とセンサ２２３が固定されたナット２２１が、案内方向両側の各端点に移動してきたときに、そのセンサ２２３による第１メカ端検出部２３２および第２メカ端検出部２３３のいずれかの検出を受けてＣＰＵ１２６がフォーカスモータ１１３ｂの回転を停止させる。【選択図】        図４
2008083173.tif 000002
【特許請求の範囲】
【請求項１】
外周に螺旋状のねじ山が形成されて所定の案内方向に延び正逆自在に回転するリードスクリューと、
前記リードスクリューを回転させるモータと、
前記リードスクリューに形成されたねじ山と噛合し、該リードスクリューの回転によって前記案内方向に移動する、該案内方向所定位置に移動してきたことを検出するためのセンサを有する移動ユニットと、
前記移動ユニットが所定の初期位置に移動してきたときに前記センサで検出される第１の検出部と、該移動ユニットが前記案内方向両側の各端点に移動してきたときに該センサで検出される第２の検出部および第３の検出部と、
前記センサによる前記第１、第２、および第３の検出部のいずれかの検出を受けて前記モータの回転を停止させるモータ制御部とを備えたことを特徴とする駆動装置。
【請求項２】
外周に螺旋状のねじ山が形成されて所定の案内方向に延び正逆自在に回転するリードスクリューと、
前記リードスクリューを回転させるモータと、
前記リードスクリューに形成されたねじ山と噛合し、該リードスクリューの回転によって前記案内方向に移動する、少なくとも一部分が導電体で形成された移動ユニットと、
導電性の弾性体で形成され、前記移動ユニットが前記案内方向両側の各端点に移動してきたときに該移動ユニットの導電体で形成された部分が弾性的に接する電気接片と、
前記移動ユニットの導電体で形成された部分が前記電気接片に接したことを受けて前記モータの回転を停止させるモータ制御部とを備えたことを特徴とする駆動装置。
【請求項３】
外周に螺旋状の第１ねじ山が形成されて所定の案内方向に延び、該第１ねじ山が形成された部分の少なくとも一方の端に、ねじ山が欠除した部分を介して、該第１ねじ山の径よりも太径であって、該第１ねじ山よりも粗いピッチを有する螺旋状の第２ねじ山が形成されてなる、正逆自在に回転するリードスクリューと、
前記リードスクリューに形成された第１ねじ山と噛合する第１噛合部と、該リードスクリューに形成された第２ねじ山と噛合する第２噛合部とを有し、該リードスクリューの回転によって前記案内方向に移動する移動ユニットとを備えたことを特徴とする駆動装置。
【請求項４】
前記移動ユニットが、光学部材と該光学部材を保持する光学部材保持枠とを含むものであって、この駆動装置が該光学部材を光軸方向に移動させるものであることを特徴とする請求項１、２又は３記載の駆動装置。
【請求項５】
撮影光学系により被写体光を導き撮像素子上に被写体像を形成して画像データを生成する撮影装置において、
外周に螺旋状のねじ山が形成されて所定の案内方向に延び正逆自在に回転するリードスクリューと、
前記リードスクリューを回転させるモータと、
前記撮影光学系のうちの少なくとも一部の光学部材を保持すると共に、前記リードスクリューに形成されたねじ山と噛合し、該リードスクリューの回転によって前記案内方向に移動して該光学部材を光軸方向に移動させる、該案内方向所定位置に移動してきたことを検出するためのセンサを有する移動ユニットと、
前記移動ユニットが所定の初期位置に移動してきたときに前記センサで検出される第１の検出部と、該移動ユニットが前記案内方向両側の各端点に移動してきたときに該センサで検出される第２の検出部および第３の検出部と、
前記センサによる前記第１、第２、および第３の検出部のいずれかの検出を受けて前記モータの回転を停止させるモータ制御部とを備えたことを特徴とする撮影装置。
【請求項６】
撮影光学系により被写体光を導き撮像素子上に被写体像を形成して画像データを生成する撮影装置において、
外周に螺旋状のねじ山が形成されて所定の案内方向に延び正逆自在に回転するリードスクリューと、
前記リードスクリューを回転させるモータと、
前記撮影光学系のうちの少なくとも一部の光学部材を保持すると共に、前記リードスクリューに形成されたねじ山と噛合し、該リードスクリューの回転によって前記案内方向に移動して該光学部材を光軸方向に移動させる、少なくとも一部分が導電体で形成された移動ユニットと、
導電性の弾性体で形成され、前記移動ユニットが前記案内方向両側の各端点に移動してきたときに該移動ユニットの導電体で形成された部分が弾性的に接する電気接片と、
前記移動ユニットの導電体で形成された部分が前記電気接片に接したことを受けて前記モータの回転を停止させるモータ制御部とを備えたことを特徴とする撮影装置。
【請求項７】
撮影光学系により被写体光を導き撮像素子上に被写体像を形成して画像データを生成する撮影装置において、
外周に螺旋状の第１ねじ山が形成されて所定の案内方向に延び、該第１ねじ山が形成された部分の少なくとも一方の端に、ねじ山が欠除した部分を介して、該第１ねじ山の径よりも太径であって、該第１ねじ山よりも粗いピッチを有する螺旋状の第２ねじ山が形成されてなる、正逆自在に回転するリードスクリューと、
前記撮影光学系のうちの少なくとも一部の光学部材を保持すると共に、前記リードスクリューに形成された第１ねじ山と噛合する第１噛合部と、該リードスクリューに形成された第２ねじ山と噛合する第２噛合部とを有し、該リードスクリューの回転によって前記案内方向に移動して該光学部材を光軸方向に移動させる移動ユニットとを備えたことを特徴とする撮影装置。
【発明の詳細な説明】
【技術分野】
【０００１】
本発明は、リードスクリューの回転によって移動ユニットを所定の案内方向に移動させる駆動装置、およびこのような駆動装置が備えられた、被写体を撮影する撮影装置に関する。
【背景技術】
【０００２】
従来より、レンズを光軸方向に移動させる駆動装置として、外周に螺旋状のねじ山を有するいわゆるリードスクリューと、リードスクリューに形成されたねじ山と噛合し、リードスクリューの回転によりそのねじ山に押されて移動する、レンズを保持するレンズ保持枠が固定された移動ユニットとで構成された駆動装置が知られている。また、このような駆動装置が備えられた撮影装置としてカメラなどが知られている。カメラなどにおける駆動装置は、オートフォーカス機能やズーム機能などを実現する装置として用いられている。このような移動機構では、従来より、いわゆる「食い付き」という現象が問題となっている。
【０００３】
この「食い付き」という現象は、リードスクリューを回転させるモータを制御しているモータ制御部が、電気ノイズ等の外乱を受けて暴走することなどが原因で生じる現象であって、移動ユニットが移動範囲の一端に到達したにもかかわらず更にリードスクリューが回転し続けて移動ユニットに力が伝達され続けたときに、例えばリードスクリュー先端部に設けられた隔壁に移動ユニットが衝突し、移動ユニットのねじ山がリードスクリューのねじ山に乗り上げてしまうという現象である。このような「食い付き」が発生すると、リードスクリューを逆回転させて移動ユニットを逆方向に移動させようとしても、移動ユニットがリードスクリューに乗り上げた状態から脱出できなくなり、移動ユニットの移動が不可能となってしまうおそれがある。
【０００４】
また、近年、撮像素子の高画素化が進んできて画素が微細化されてきている。このような撮像素子が備えられた撮影装置において、上述した駆動装置を用いてオートフォーカス機能を実現する場合、移動ユニットの送り量を微細化して正確なピント調整を行わないと画像のボケが強調されてしまうおそれがある。移動ユニットの送り量の微細化は、例えばリードスクリューのねじ山のピッチの微細化によって実現される。ところが、リードスクリューのねじ山のピッチを微細化すると、「食い付き」が発生し易くなってしまうという問題がある。
【０００５】
このような「食い付き」に対処する技術として、リードスクリューの端にバネを設け、バネで移動ユニットを移動方向とは逆方向に付勢することにより、移動ユニットがリードスクリューに食い付く力を軽減させる技術が提案されている（例えば、特許文献１参照。）。
【特許文献１】特開２００４−２５８５５７号公報
【発明の開示】
【発明が解決しようとする課題】
【０００６】
ところが、特許文献１に記載された駆動装置は、バネの付勢力を利用して「食い付き」に対処する技術であるため、バネ荷重の設定によっては「食い付き」の発生を確実に防止することが困難であり、移動ユニットのねじ山がリードスクリューのねじ山に乗り上げてしまったときの「食い付き」状態によっては、その「食い付き」状態から脱出不可能となってしまうおそれがあり、信頼性に欠ける。
【０００７】
尚、上述した問題は、レンズを移動させる駆動装置のみに限らず、リードスクリューを用いて、そのリードスクリューに噛合する移動ユニットを所定の案内方向に移動させる駆動装置一般に当てはまるものである。
【０００８】
本発明は、上記事情に鑑み、移動ユニットのねじ山がリードスクリューのねじ山に乗り上げてしまう「食い付き」の発生を確実に防止した駆動装置、およびこのような駆動装置が備えられた撮影装置を提供することを目的とするものである。
【課題を解決するための手段】
【０００９】
上記目的を達成する本発明の駆動装置のうちの第１の駆動装置は、
外周に螺旋状のねじ山が形成されて所定の案内方向に延び正逆自在に回転するリードスクリューと、
上記リードスクリューを回転させるモータと、
上記リードスクリューに形成されたねじ山と噛合し、そのリードスクリューの回転によって上記案内方向に移動する、この案内方向所定位置に移動してきたことを検出するためのセンサを有する移動ユニットと、
上記移動ユニットが所定の初期位置に移動してきたときに上記センサで検出される第１の検出部と、その移動ユニットが上記案内方向両側の各端点に移動してきたときにそのセンサで検出される第２の検出部および第３の検出部と、
上記センサによる上記第１、第２、および第３の検出部のいずれかの検出を受けて上記モータの回転を停止させるモータ制御部とを備えたことを特徴とする。
【００１０】
本発明の駆動装置のうちの第１の駆動装置は、上記リードスクリューに形成されたねじ山と噛合し、そのリードスクリューの回転によって上記案内方向に移動する移動ユニットが、その案内方向両側の各端点に移動してきたときに、この移動ユニットのセンサによる上記第２および第３の検出部のいずれかの検出を受けてモータ制御部が上記モータの回転を停止させるものである。従って、本発明の駆動装置のうちの第１の駆動装置によれば、移動ユニットが案内方向両側の各端点を越えて移動することがモータの回転停止によって回避されることとなるため、移動ユニットのねじ山がリードスクリューのねじ山に乗り上げてしまう「食い付き」の発生が確実に防止される。
【００１１】
また、上記目的を達成する本発明の駆動装置のうちの第２の駆動装置は、
外周に螺旋状のねじ山が形成されて所定の案内方向に延び正逆自在に回転するリードスクリューと、
上記リードスクリューを回転させるモータと、
上記リードスクリューに形成されたねじ山と噛合し、そのリードスクリューの回転によって上記案内方向に移動する、少なくとも一部分が導電体で形成された移動ユニットと、
導電性の弾性体で形成され、上記移動ユニットが上記案内方向両側の各端点に移動してきたときにその移動ユニットの導電体で形成された部分が弾性的に接する電気接片と、
上記移動ユニットの導電体で形成された部分が上記電気接片に接したことを受けて上記モータの回転を停止させるモータ制御部とを備えたことを特徴とする。
【００１２】
本発明の駆動装置のうちの第２の駆動装置は、上記リードスクリューに形成されたねじ山と噛合し、そのリードスクリューの回転によって上記案内方向に移動する、少なくとも一部分が導電体で形成された移動ユニットが、その案内方向両側の各端点に移動してきたときに、この移動ユニットの導電体で形成された部分が、導電性の弾性体で形成された電気接片に弾性的に接したことを受けてモータ制御部が上記モータの回転を停止させるものである。従って、本発明の駆動装置のうちの第２の駆動装置によれば、移動ユニットが案内方向両側の各端点を越えて移動することがモータの回転停止によって回避されると共に、モータの回転停止に伴う移動ユニットの停止時の衝撃が導電性の弾性体で形成された電気接片によって吸収されることとなるため、移動ユニットのねじ山がリードスクリューのねじ山に乗り上げてしまう「食い付き」の発生が確実に防止される。
【００１３】
また、上記目的を達成する本発明の駆動装置のうちの第３の駆動装置は、
外周に螺旋状の第１ねじ山が形成されて所定の案内方向に延び、その第１ねじ山が形成された部分の少なくとも一方の端に、ねじ山が欠除した部分を介して、その第１ねじ山の径よりも太径であって、その第１ねじ山よりも粗いピッチを有する螺旋状の第２ねじ山が形成されてなる、正逆自在に回転するリードスクリューと、
上記リードスクリューに形成された第１ねじ山と噛合する第１噛合部と、そのリードスクリューに形成された第２ねじ山と噛合する第２噛合部とを有し、そのリードスクリューの回転によって上記案内方向に移動する移動ユニットとを備えたことを特徴とする。
【００１４】
本発明の駆動装置のうちの第３の駆動装置は、上記リードスクリューに形成された第１ねじ山と噛合する第１噛合部と、そのリードスクリューの第１ねじ山が形成された部分の少なくとも一方の端に、ねじ山が欠除した部分を介して形成された、その第１ねじ山の径よりも太径であって、その第１ねじ山よりも粗いピッチを有する第２ねじ山と噛合する第２噛合部とを有する移動ユニットが、そのリードスクリューの回転によって上記案内方向に移動するものである。従って、本発明の駆動装置のうちの第３の駆動装置によれば、移動ユニットが案内方向に移動し、リードスクリューの第１ねじ山が形成された部分の少なくとも一方の端を越えて更に移動すると、第１ねじ山と噛合する第１噛合部はねじ山が欠除した部分に移動することとなるため、第１ねじ山と第１噛合部とのねじの噛み合いが外れ、移動ユニットの第１噛合部がリードスクリューの第１ねじ山に乗り上げてしまう「食い付き」の発生が確実に防止される。また、本発明の駆動装置のうちの第３の駆動装置が、第１ねじ山と噛合する第１噛合部がねじ山の欠除した部分に移動して第１ねじ山と第１噛合部との噛み合いが外れたときには、第２噛合部が第２ねじ山に噛合している構成とすることにより、第２噛合部が第２ねじ山に噛合した状態から、第１噛合部が第１ねじ山に噛合する状態に復帰するに当たり、移動ユニットの姿勢が安定することとなるため、安定して復帰することができる。
【００１５】
ここで、上記本発明の駆動装置は、上記移動ユニットが、光学部材とこの光学部材を保持する光学部材保持枠とを含むものであって、この駆動装置がその光学部材を光軸方向に移動させるものであることが好ましい。
【００１６】
ここで、本発明にいう「光学部材」とは、例えばレンズやフィルタなどをいう。
【００１７】
このような好ましい形態によれば、端点位置に移動してきた光学部材が動かなくなってしまう不具合が回避され、光学部材の駆動における信頼性が向上する。
【００１８】
上記目的を達成する本発明の撮影装置のうちの第１の撮影装置は、
撮影光学系により被写体光を導き撮像素子上に被写体像を形成して画像データを生成する撮影装置において、
外周に螺旋状のねじ山が形成されて所定の案内方向に延び正逆自在に回転するリードスクリューと、
上記リードスクリューを回転させるモータと、
上記撮影光学系のうちの少なくとも一部の光学部材を保持すると共に、上記リードスクリューに形成されたねじ山と噛合し、そのリードスクリューの回転によって上記案内方向に移動してその光学部材を光軸方向に移動させる、その案内方向所定位置に移動してきたことを検出するためのセンサを有する移動ユニットと、
上記移動ユニットが所定の初期位置に移動してきたときに上記センサで検出される第１の検出部と、その移動ユニットが上記案内方向両側の各端点に移動してきたときにそのセンサで検出される第２の検出部および第３の検出部と、
上記センサによる上記第１、第２、および第３の検出部のいずれかの検出を受けて上記モータの回転を停止させるモータ制御部とを備えたことを特徴とする。
【００１９】
本発明の撮影装置のうちの第１の撮影装置は、本発明の駆動装置のうちの第１の駆動装置が備えられたものである。従って、本発明の撮影装置のうちの第１の撮影装置によれば、本発明の駆動装置のうちの第１の駆動装置と同様に、移動ユニットが案内方向両側の各端点を越えて移動することがモータの回転停止によって回避されることとなるため、移動ユニットのねじ山がリードスクリューのねじ山に乗り上げてしまう「食い付き」の発生が確実に防止される。そのため、端点位置に移動してきた光学部材が動かなくなってしまう不具合が回避され、光学部材を確実に移動させることができ、撮影装置の信頼性が向上する。
【００２０】
また、上記目的を達成する本発明の撮影装置のうちの第２の撮影装置は、
撮影光学系により被写体光を導き撮像素子上に被写体像を形成して画像データを生成する撮影装置において、
外周に螺旋状のねじ山が形成されて所定の案内方向に延び正逆自在に回転するリードスクリューと、
上記リードスクリューを回転させるモータと、
上記撮影光学系のうちの少なくとも一部の光学部材を保持すると共に、上記リードスクリューに形成されたねじ山と噛合し、そのリードスクリューの回転によって上記案内方向に移動してその光学部材を光軸方向に移動させる、少なくとも一部分が導電体で形成された移動ユニットと、
導電性の弾性体で形成され、上記移動ユニットが上記案内方向両側の各端点に移動してきたときにその移動ユニットの導電体で形成された部分が弾性的に接する電気接片と、
上記移動ユニットの導電体で形成された部分が上記電気接片に接したことを受けて上記モータの回転を停止させるモータ制御部とを備えたことを特徴とする。
【００２１】
本発明の撮影装置のうちの第２の撮影装置は、本発明の駆動装置のうちの第２の駆動装置が備えられたものである。従って、本発明の撮影装置のうちの第２の撮影装置によれば、本発明の駆動装置のうちの第２の駆動装置と同様に、移動ユニットが案内方向両側の各端点を越えて移動することがモータの回転停止によって回避されると共に、モータの回転停止に伴う移動ユニットの停止時の衝撃が導電性の弾性体で形成された電気接片によって吸収されることとなるため、移動ユニットのねじ山がリードスクリューのねじ山に乗り上げてしまう「食い付き」の発生が確実に防止される。そのため、端点位置に移動してきた光学部材が動かなくなってしまう不具合が回避され、光学部材を確実に移動させることができ、撮影装置の信頼性が向上する。
【００２２】
また、上記目的を達成する本発明の撮影装置のうちの第３の撮影装置は、
撮影光学系により被写体光を導き撮像素子上に被写体像を形成して画像データを生成する撮影装置において、
外周に螺旋状の第１ねじ山が形成されて所定の案内方向に延び、その第１ねじ山が形成された部分の少なくとも一方の端に、ねじ山が欠除した部分を介して、その第１ねじ山の径よりも太径であって、その第１ねじ山よりも粗いピッチを有する螺旋状の第２ねじ山が形成されてなる、正逆自在に回転するリードスクリューと、
上記撮影光学系のうちの少なくとも一部の光学部材を保持すると共に、上記リードスクリューに形成された第１ねじ山と噛合する第１噛合部と、そのリードスクリューに形成された第２ねじ山と噛合する第２噛合部とを有し、そのリードスクリューの回転によって上記案内方向に移動してその光学部材を光軸方向に移動させる移動ユニットとを備えたことを特徴とする。
【００２３】
本発明の撮影装置のうちの第３の撮影装置は、本発明の駆動装置のうちの第３の駆動装置が備えられたものである。従って、本発明の撮影装置のうちの第３の撮影装置によれば、本発明の駆動装置のうちの第３の駆動装置と同様に、移動ユニットが案内方向に移動し、リードスクリューの第１ねじ山が形成された部分の少なくとも一方の端を越えて更に移動すると、第１ねじ山と噛合する第１噛合部はねじ山が欠除した部分に移動することとなるため、第１ねじ山と第１噛合部とのねじの噛み合いが外れ、移動ユニット第１噛合部がリードスクリューの第１ねじ山に乗り上げてしまう「食い付き」の発生が確実に防止される。そのため、端点位置に移動してきた光学部材が動かなくなってしまう不具合が回避され、光学部材を確実に移動させることができ、撮影装置の信頼性が向上する。また、第１ねじ山と噛合する第１噛合部がねじ山の欠除した部分に移動して第１ねじ山と第１噛合部との噛み合いが外れたときに、第２噛合部が第２ねじ山に噛合するような構成とされていれば、第２噛合部が第２ねじ山に噛合した状態から、第１噛合部が第１ねじ山に噛合する状態に復帰するに当たり、移動ユニットの姿勢が安定することとなるため、安定して復帰することができる。
【発明の効果】
【００２４】
本発明によれば、移動ユニットのねじ山がリードスクリューのねじ山に乗り上げてしまう「食い付き」の発生を確実に防止した駆動装置、およびこのような駆動装置が備えられた撮影装置が提供される。
【発明を実施するための最良の形態】
【００２５】
以下、図面を参照して本発明の実施の形態を説明する。
【００２６】
ここでは、本発明を、装填された二次電池から電力供給を受けて動作し、撮像素子（ここでは、Ｃｈａｒｇｅ  Ｃｏｕｐｌｅｄ  Ｄｅｖｉｃｅ：ＣＣＤとする）上に被写体の像を結像させて、その被写体を表す撮影画像データを取り込むデジタルカメラに適用した実施形態について説明する。尚、このデジタルカメラは、デジタルカメラ本体に対して光軸方向に進退する沈胴式のレンズ鏡胴を備えたデジタルカメラであって、電源がオンされるとレンズ鏡胴が繰り出され、電源がオフされるとレンズ鏡胴がレンズの焦点距離領域より更に沈胴されて、レンズ先端部がデジタルカメラ本体より突出しないデジタルカメラである。
【００２７】
図１は、本発明の撮影装置の一実施形態であるデジタルカメラ１００を前面斜め上から見た外観斜視図であり、図２は、図１に示すデジタルカメラ１００を背面斜め上から見た外観斜視図である。尚、図１には、レンズ鏡胴が沈胴されてレンズ先端部がデジタルカメラ本体より突出しない非撮影時の状態の図が示されている。
【００２８】
図１に示すように、デジタルカメラ１００の正面の中央部には、外観上、焦点距離の変化に係わるズームレンズや被写体に焦点を合わせるフォーカスレンズなどで構成される撮影レンズ１０１が備えられている。この撮影レンズ１０１は、本発明にいう撮影光学系の一例に相当する。また、このデジタルカメラ１００の前面上部には、撮影者が被写体の位置などを定めるために覗く光学式ファインダ対物窓１０２、およびシャッタレリーズボタン１０５への押下操作に同期して発光する閃光発光装置１０３が備えられている。
【００２９】
また、このデジタルカメラ１００の上面には、スライド式の電源ボタン１０４、およびシャッタレリーズボタン１０５が備えられている。このシャッタレリーズボタン１０５は、半押しおよび全押しの２段階に押下可能である。撮影レンズ１０１内の、本発明にいう光学部材の一例に相当するフォーカスレンズは、本発明にいう光学部材保持枠の一例に相当するフォーカスレンズ保持枠に保持されており、フォーカスレンズ駆動装置によって光軸方向に移動されて撮影画角の中央領域に焦点を合わせる、フォーカス機能によるフォーカシングが連続的に行われていて、シャッタレリーズボタン１０５を半押しすると、フォーカスレンズの位置をその半押しされた時点の位置に固定するフォーカスロックが設定され、シャッタレリーズボタン１０５を全押しすると、シャッタが切られて実際の撮影が行われる。フォーカスレンズ保持枠やフォーカスレンズ駆動装置については、後で詳しく説明する。
【００３０】
また、デジタルカメラ１００の筐体１００ａの内部には、撮影レンズ１０１の背面に配備されたＣＣＤ１１４（図３参照）が備えられている。撮影レンズ１０１を経由してきた被写体光はＣＣＤ１１４に入射されて電気信号であるアナログの画像信号に変換される。このＣＣＤ１１４は、本発明にいう撮像素子の一例に相当する。
【００３１】
また、図２に示すように、このデジタルカメラ１００の背面には、光学式ファインダ接眼窓１０６と、メニューボタン１０７１と、‘△’マークが記された操作部１０７２ａと‘▽’マークが記された操作部１０７２ｂとからなるズーム操作キー１０７２と、各種選択操作を行う十字キー１０７３と、各種操作によって変更された設定を確定する実行ボタン１０７４と、画像やメニューを表示する液晶ディスプレイ（Ｌｉｑｕｉｄ  Ｃｒｙｓｔａｌ  Ｄｉｓｐｌａｙ：ＬＣＤ）パネル１０８とが備えられている。ズーム操作キー１０７２のうちの‘△’マークが記された操作部１０７２ａを押下すると、押下し続けている間、レンズ鏡胴が沈胴状態から最大繰出状態に向かって移動し、ズーム操作キー１０７２のうちの‘▽’マークが記された操作部１０７２ｂを押下すると、押下し続けている間、レンズ鏡胴が繰出状態から沈胴状態に向かって移動する。
【００３２】
図３は、図１，図２に示すデジタルカメラ１００のブロック図である。
【００３３】
デジタルカメラ１００には、ズームレンズ１１１、モータドライバ１１１ａ、ズームモータ１１１ｂ、アイリス１１２、モータドライバ１１２ａ、絞りモータ１１２ｂ、フォーカスレンズ１１３、モータドライバ１１３ａ、フォーカスモータ１１３ｂ、ＣＣＤ１１４、タイミングジェネレータ１１４ａ、ＣＤＳ−ＡＭＰ１２１、Ａ／Ｄ（Ａｎａｌｏｇ／Ｄｅｇｉｔａｌ）変換部１２２、メモリコントローラ１２３、ＡＦ値判断部１２４、画像信号処理部１２５、ＣＰＵ１２６、ＡＦ検出部１２７、ビデオエンコーダ１２８、メディアコントローラ１２９、ＲＯＭ１３０、Ｅ２ＰＲＯＭ１３１、ＲＡＭ１３２、画像表示装置１４０、シャッタスイッチ１６１、電源スイッチ１６２、メニュースイッチ１６３、および十字キースイッチ１６４が具備されており、さらに、記憶メディア１５０が接続されている。デジタルカメラ１００の内部には、これらの他にも、シャッタなどが備えられているが、これらは、本発明の主題とは無関係であるので図示を省略する。
【００３４】
まず、スイッチについて説明する。
【００３５】
シャッタスイッチ１６１は、図１，図２にも示すシャッタレリーズボタン１０５の押下に同期して２段階に入切されるスイッチであり、一段目のスイッチが入るとフォーカスロックが設定され、二段目のスイッチが入ると被写体の本撮影が行われる。
【００３６】
電源スイッチ１６２は、図１，図２にも示す電源ボタン１０４のスライド操作に同期して入切され、電源スイッチ１６２が入ると、デジタルカメラ１００が駆動される。
【００３７】
メニュースイッチ１６３は、図２にも示すメニューボタン１０７１の押下に同期して、選択可能な複数のメニューを図２に示すＬＣＤパネル１０８に表示／非表示するスイッチである。メニューボタン１０７１が１回押下されてメニュースイッチ１６３が入るとその複数のメニューが表示され、これら複数のメニューの中から所望のメニューが選択可能となる。メニューボタン１０７１が再度押下されてメニュースイッチ１６３が切られると通常撮影機能が有効となる。
【００３８】
十字キースイッチ１６４は、図２にも示すメニューボタン１０７１が押下された後の、図２に示すＬＣＤパネル１０８に各種メニューが表示されている状態では、図２にも示す十字キー１０７３の押下に同期してＬＣＤパネル１０８に表示されるカーソルが移動され、ＬＣＤパネル１０８に表示される複数のメニューの中のいずれかのメニューやメニュー内の項目を選択するスイッチである。ユーザが所望のメニュー内の項目を選択した後に図２に示す実行ボタン１０７４を押下することによってその選択が確定される。
【００３９】
また、ここでは図示しないが、デジタルカメラ１００には、画像表示装置１４０に撮影画像を表示する画像表示スイッチなどといった各種スイッチが備えられている。これらの各スイッチが設定されると、ＣＰＵ１２６に各スイッチの設定状況が伝えられる。
【００４０】
次に、光学系の要素について説明する。
【００４１】
ズームレンズ１１１は、焦点距離の変化に係わるレンズである。尚、本来、デジタルカメラなどといった撮影装置の光学系には複数のレンズが配備され、それら複数のレンズのうち少なくとも１つのレンズがピントの調節に大きく関与し、各レンズの相対位置が焦点距離に関与するが、この図３では、それらの複数のレンズのうち、焦点距離の変化に係わるレンズをズームレンズ１１１として模式的に示しており、ピントの調節に係わるレンズをフォーカスレンズ１１３として模式的に示している。ズームレンズ１１１にはズームモータ１１１ｂが取り付けられており、そのズームモータ１１１ｂはＣＰＵ１４０からの指示に従った指示信号によって駆動される。図２に示すズーム操作キー１０７２の、‘△’マークが記された操作部１０７２ａや、‘▽’マークが記された操作部１０７２ｂが押下されると、ＣＰＵ１４０からの、ズームレンズ１１１を所定の駆動範囲内で移動させる指示に従った指示信号が、モータドライバ１１１ａを介してズームモータ１１１ｂに与えられる。ズームモータ１１１ｂがその指示信号に従って回転すると、ズームレンズ１１１が光軸方向に移動する。尚、デジタルカメラ１００のズーム機能は、光学ズームと電子ズームとの併用で行われており、図２に示すズーム操作キー１０７２のうちの‘△’マークが記された操作部１０７２ａを押下することによって望遠（ＴＥＬＥ）側、‘▽’マークが記された操作部１０７２ｂを押下することによって広角（ＷＩＤＥ）側にズームされる。光学ズーム範囲内の所定のズーム位置に現在調整されていると想定した場合に、‘△’マークが記された操作部１０７２ａを押下し続けると、光学的なズームアップの限界まではズームレンズ１１１の移動などによる光学的なズームアップが行われ、光学的なズームアップの限界を過ぎると、その‘△’マークが記された操作部１０７２ａに対する押下のレベルをＣＰＵ１２６で検出し、電子的なズームアップが行われる。この電子的なズームアップは、この押下のレベルをＣＰＵ１２６で検出し、ＣＣＤ１１４上の拡大範囲を演算によって決定して行われる。
【００４２】
アイリス１１２には、大きさの異なる２つの孔が設けられている。また、アイリス１１２には絞りモータ１１２ｂが取り付けられており、ＣＰＵ１２６からの指示に従った指示信号が、モータドライバ１１２ａを介して絞りモータ１１２ｂに与えられる。絞りモータ１１２ｂがその指示信号に従って回転すると、アイリス１１２に設けられた孔が切り替えられる。このような切り替えによって、被写体光の光量が調整される。
【００４３】
フォーカスレンズ１１３は、被写体に焦点を合わせるためのレンズである。フォーカスレンズ１１３には、本発明にいうモータの一例に相当するフォーカスモータ１１３ｂが取り付けられており、ＣＰＵ１２６からの、例えばフォーカスレンズ１１３を所定の駆動範囲内で移動させる指示に従った指示信号や、フォーカスレンズ１１３を合焦位置に向かわせるための合焦位置の指示に従った指示信号が、モータドライバ１１３ａを介してフォーカスモータ１１３ｂに与えられる。フォーカスモータ１１３ｂがその指示信号に従って回転すると、フォーカスレンズ１１３が光軸方向に移動する。このＣＰＵ１２６は、本発明にいうモータ制御部の一例に相当する。尚、フォーカスレンズ１１３を移動させる移動機構については、後で詳しく説明する。
【００４４】
次に、被写体を撮影し、その撮影画像に信号処理を施す要素について説明する。
【００４５】
デジタルカメラ１００に、図示しない二次電池を装填し、図１〜図３に示す電源ボタン１０４をスライド操作して電源スイッチ１６２が入れられると電源がオンされ、デジタルカメラ１００が駆動される。
【００４６】
デジタルカメラ１００が駆動されると、フォーカスモータ１１３ｂが駆動され、図１に示す撮影レンズ１０１内のフォーカスレンズ１１３が光軸方向に移動されて撮影画角の中央領域に焦点を合わせる、フォーカス機能によるフォーカシングが連続的に行われる。シャッタレリーズボタン１０５が半押しされると、フォーカスレンズ１１３の位置をその半押しされた時点の位置に固定するフォーカスロックが設定され、シャッタレリーズボタン１０５が全押しされると、シャッタが切られて被写体の本撮影が行われる。
【００４７】
ＲＯＭ１３０には、デジタルカメラ１００を動作させる各種プログラムなどが保存されている。
【００４８】
Ｅ２ＰＲＯＭ１３１には、例えば、ユーザによって、各モードそれぞれについて設定された項目情報などが書き込まれて保存される。
【００４９】
ＣＰＵ１２６は、基板１８０（図５，図６参照）上に装着された、半導体集積回路が搭載されたものであって、図１〜図３に示すデジタルカメラ１００の各種要素を制御する。      
【００５０】
ＣＣＤ１１４は、図１の撮影レンズ１０１を通ってきた被写体光を受光して、ＣＰＵ１２６の指示により、被写体光に基づく被写体像を結像し、アナログ信号である被写体信号として読み取る。この被写体信号は、タイミングジェネレータ１１４ａからの指示に従って、ＣＤＳ−ＡＭＰ１２１に出力される。
【００５１】
タイミングジェネレータ１１４ａは、所定時間ごと、あるいは図１，図２にも示すシャッタレリーズボタン１０５が押下されたときに、ＣＣＤ１１４に被写体信号を出力させる指示を送る。
【００５２】
ＣＤＳ−ＡＭＰ１２１は、増幅率を調整してその調整された増幅率で被写体信号を増幅する。
【００５３】
Ａ／Ｄ変換部１２２は、被写体信号をデジタルデータである撮影画像データに変換する。
【００５４】
メモリコントローラ１２３は、撮影画像データの出力先を制御する。
【００５５】
デジタルカメラ１００は、フォーカスレンズ１１３の合焦位置を検出する合焦動作を行うために、本撮影の前にも撮影画像データを生成する。この合焦動作の際の撮影画像データは、解像度が低い一時的なデータであり、ＡＦ検出部１２７やＡＦ値判断部１２４やＲＡＭ１３２に送られる。また、本撮影時に生成される解像度の高い撮影画像データは、ＲＡＭ１３２に送られて書き込まれる。
【００５６】
ＡＦ検出部１２７は、メモリコントローラ１２３から送られてきた解像度の低い撮影画像データを基に、撮影画像のコントラストを検出する。検出されたコントラストは、ＡＦ値判断部１２４に送られる。
【００５７】
ＡＦ値判断部１２４は、ＡＦ検出部１２７から送られてきたコントラストを基にフォーカスレンズ１１３の合焦位置を決定する。決定された合焦位置は、ＣＰＵ１２６に伝えられ、ＣＰＵ１２６からフォーカスレンズ１１３のモータドライバ１１３ａに駆動指示が与えられる。
【００５８】
ＲＡＭ１３２には、撮影時に一時的に蓄えられる撮影画像データなどが書き込まれる。
【００５９】
画像信号処理部１２５は、本撮影時に生成されてＲＡＭ１３２に書き込まれた撮影画像データをＲＡＭ１３２から読み出して、その撮影画像データのＲＧＢレベルの調節、ガンマ調整、圧縮処理などを行う。
【００６０】
ビデオエンコーダ１２８は、ＣＰＵ１２６からの指示に従い、画像信号処理部１２５によって圧縮された撮影画像データを画像表示装置１４０で表示できるデータの形式に変換する。
【００６１】
ビデオエンコーダ１２８によって変換された後の撮影画像データは、画像表示装置１４０に送られ、画像表示装置１４０は、撮影画像データが表す撮影画像をＬＣＤパネル１０８（図２参照）に表示させる。
【００６２】
メディアコントローラ１２９は、記憶メディア１５０への撮影画像データの記憶や読み出しを制御する。
【００６３】
画像表示装置１４０はメニュー画面や撮影画像データが表す撮影画像をＬＣＤパネル１０８（図２参照）に表示させるためのものである。
【００６４】
記憶メディア１５０は、撮影された画像を表す画像データを記憶しておく記憶媒体である。
【００６５】
本実施形態のデジタルカメラ１００は、基本的には以上のように構成されている。
【００６６】
ここで、デジタルカメラ１００における、本発明の一実施形態としての特徴は、撮影レンズ１０１内のフォーカスレンズ１１３を光軸方向に移動させる移動機構にあり、以下、この移動機構について詳述する。
【００６７】
図４は、図３に示すフォーカスレンズ１１３を光軸方向に移動させるフォーカスレンズ駆動装置２００の概略構成図である。
【００６８】
図４には、本発明の駆動装置の第１実施形態であるフォーカスレンズ駆動装置２００と、図３にも示すＣＣＤ１１４が示されている。
【００６９】
図４に示すフォーカスレンズ駆動装置２００は、図１〜図３に示すデジタルカメラ１００に搭載されたものであって、ＣＰＵ１２６からの指示に従って駆動する。このフォーカスレンズ駆動装置２００には、外周に螺旋状のねじ山２１１が形成されて、フォーカスレンズ１１３の光軸方向に合わせられた案内方向に延び正逆自在に回転するリードスクリュー２１０と、このリードスクリュー２１０を正回転方向および逆回転方向に回転させるフォーカスモータ１１３ｂとが備えられている。このリードスクリュー２１０は、本発明にいうリードスクリューの一例に相当する。
【００７０】
また、リードスクリュー２１０には、リードスクリュー２１０に形成されたねじ山２１１と噛合するねじ山が内部に形成されたナット２２１が噛合している。このナット２２１には、フォーカスレンズ１１３を保持するフォーカスレンズ保持枠２２２が固定されており、フォーカスレンズ保持枠２２２は、図示しないガタ取りバネによって付勢されることによりデジタルカメラ１００の筐体１００ａに対して常に位置決めされている。また、このフォーカスレンズ保持枠２２２には、案内方向所定位置に移動してきたことを検出するための、フォトインタラプタで構成されたセンサ２２３が固定されている。フォーカスモータ１１３ｂが駆動してリードスクリュー２１０が回転すると、ナット２２１がリードスクリュー２１０に沿って移動することにより、フォーカスレンズ１１３が光軸方向に移動する。このナット２２１とフォーカスレンズ保持枠２２２とセンサ２２３とを合わせたものは、本発明にいう移動ユニットの一例に相当する。
【００７１】
また、このフォーカスレンズ駆動装置２００には、ナット２２１に固定されたフォーカスレンズ保持枠２２２に保持されたフォーカスレンズ１１３が所定の初期位置に移動してきたときにセンサ２２３で検出されるＨＰ（Ｈｏｍｅ  Ｐｏｓｉｔｉｏｎ）検出部２３１が備えられている。このＨＰ検出部２３１は、本発明にいう第１の検出部の一例に相当する。フォーカスレンズ１１３の初期位置が検出されたらその位置を基準にして合焦点にフォーカスレンズ１１３が駆動される。
【００７２】
また、このフォーカスレンズ駆動装置２００には、ナット２２１がリードスクリュー２１０の案内方向両側の各端点に移動してきたときにそのセンサ２２３で検出される第１メカ端検出部２３２および第２メカ端検出部２３３が備えられている。この第１メカ端検出部２３２は、本発明にいう第２の検出部の一例に相当し、この第２メカ端検出部２３３は、本発明にいう第３の検出部の一例に相当する。
【００７３】
センサ２２３によるＨＰ検出部２３１、第１メカ端検出部２３２、および第２メカ端検出部２３３のいずれかの検出を受けて、ＣＰＵ１２６から、フォーカスモータ１１３ｂの回転を停止させる指示に従った指示信号が、モータドライバ１１３ａを介してフォーカスモータ１１３ｂに与えられ、フォーカスモータ１１３ｂの回転が停止する。
【００７４】
通常動作時においては、フォーカスレンズ駆動装置２００が搭載されたデジタルカメラ１００のＣＰＵ１２６から伝えられる指示に応じてフォーカスモータ１１３ｂが駆動し、リードスクリュー２１０が正回転方向に回転されると、ナット２２１はフォーカスモータ１１３ｂに向かう正移動方向に移動し、リードスクリュー２１０が逆回転方向に回転されると、ナット２２１はフォーカスモータ１１３ｂから遠ざかる逆移動方向に移動する。
【００７５】
ここで、例えば電気ノイズ等の外乱を受けてＣＰＵ１２６が暴走した場合などには、ナット２２１がリードスクリュー２１０の根元にまで達することとなる。
【００７６】
しかし、第１実施形態のフォーカスレンズ駆動装置２００では、ナット２２１がリードスクリュー２１０の案内方向両側の各端点に移動してきたときに、センサ２２３による第１メカ端検出部２３２および第２メカ端検出部２３３のいずれかの検出を受けてフォーカスモータ１１３ｂの回転が停止する。その結果、ナット２２１の移動も停止される。
【００７７】
このように、ナット２２１がリードスクリュー２１０の案内方向両側の各端点を越えて移動することがフォーカスモータ１１３ｂの回転停止によって回避されることとなるため、ナット２２１のねじ山がリードスクリュー２１０のねじ山２１１に乗り上げてしまう「食い付き」の発生が確実に防止される。そのため、端点位置に移動してきたフォーカスレンズ１１３が動かなくなってしまう不具合が回避され、フォーカスレンズ１１３を確実に移動させることができ、デジタルカメラ１００の信頼性が向上する。
【００７８】
以上で、本発明の第１実施形態の説明を終了し、本発明の第２実施形態について説明する。
【００７９】
尚、以下説明する第２実施形態では、上述した第１実施形態における要素と同じ要素については同じ符号を付して説明を省略し、第１実施形態との相違点についてのみ説明する。
【００８０】
図５は、本発明の第２実施形態であるフォーカスレンズ駆動装置３００の概略構成図である。
【００８１】
図５には、本発明の駆動装置の第２実施形態であるフォーカスレンズ駆動装置３００と、図３にも示すＣＣＤ１１４が示されている。
【００８２】
図５に示すフォーカスレンズ駆動装置３００には、リードスクリュー２１０とフォーカスモータ１１３ｂとが備えられている。このリードスクリュー２１０は、本発明にいうリードスクリューの一例に相当する。
【００８３】
また、リードスクリュー２１０に形成されたねじ山２１１と噛合するナット２２１には、フォーカスレンズ１１３を保持するフォーカスレンズ保持枠３２２が固定されており、フォーカスレンズ保持枠３２２は、図示しないガタ取りバネによって付勢されることによりデジタルカメラ１００の筐体１００ａに対して常に位置決めされている。また、このフォーカスレンズ保持枠３２２は、一部分３２２ａが導電体で形成されている。フォーカスモータ１１３ｂが駆動してリードスクリュー２１０が回転すると、ナット２２１がリードスクリュー２１０に沿って移動することにより、フォーカスレンズ１１３が光軸方向に移動する。このナット２２１とフォーカスレンズ保持枠３２２とを合わせたものは、本発明にいう移動ユニットの一例に相当する。
【００８４】
また、このフォーカスレンズ駆動装置３００には、リードスクリュー２１０の案内方向両側の各端点に、導電性の弾性体で形成された電気接片３３０が備えられている。ナット２２１がリードスクリュー２１０の案内方向両側の各端点に移動すると、フォーカスレンズ保持枠３２２の導電体で形成された部分３２２ａが電気接片３３０に弾性的に接する。この電気接片３３０は、本発明にいう電気接片の一例に相当する。
【００８５】
フォーカスレンズ保持枠３２２の導電体で形成された部分３２２ａが電気接片３３０に接したことを受けて、ＣＰＵ１２６から、フォーカスモータ１１３ｂの回転を停止させる指示に従った指示信号が、モータドライバ１１３ａを介してフォーカスモータ１１３ｂに与えられ、フォーカスモータ１１３ｂの回転が停止する。
【００８６】
第２実施形態のフォーカスレンズ駆動装置３００では、ナット２２１がリードスクリュー２１０の案内方向両側の各端点に移動してきたときに、フォーカスレンズ保持枠３２２の導電体で形成された部分３２２ａが電気接片３３０に接したことを受けてフォーカスモータ１１３ｂの回転が停止する。その結果、ナット２２１の移動も停止される。
【００８７】
このように、ナット２２１がリードスクリュー２１０の案内方向両側の各端点を越えて移動することがフォーカスモータ１１３ｂの回転停止によって回避されると共に、フォーカスモータ１１３ｂの回転停止に伴うナット２２１の停止時の衝撃が導電性の弾性体で形成された電気接片３３０によって吸収されることとなるため、ナット２２１のねじ山がリードスクリュー２１０のねじ山２１１に乗り上げてしまう「食い付き」の発生が確実に防止される。そのため、図４に示す第１実施形態と同様に、端点位置に移動してきたフォーカスレンズ１１３が動かなくなってしまう不具合が回避され、フォーカスレンズ１１３を確実に移動させることができ、デジタルカメラ１００の信頼性が向上する。
【００８８】
以上で、本発明の第２実施形態の説明を終了し、本発明の第３実施形態について説明する。
【００８９】
尚、以下説明する第３実施形態では、上述した第１実施形態における要素と同じ要素については同じ符号を付して説明を省略し、第１実施形態との相違点についてのみ説明する。
【００９０】
図６，図７は、本発明の第３実施形態であるフォーカスレンズ駆動装置４００の概略構成図である。
【００９１】
図６，図７には、本発明の駆動装置の第３実施形態であるフォーカスレンズ駆動装置４００と、図３にも示すＣＣＤ１１４が示されている。
【００９２】
図６，図７に示すフォーカスレンズ駆動装置４００には、外周に螺旋状の第１ねじ山４１１が形成されて、フォーカスレンズ１１３の光軸方向に合わせられた案内方向に延び、第１ねじ山４１１が形成された部分の一方の端に、ねじ山が欠除した欠除部分４１２を介して、第１ねじ山４１１の径よりも太径であって、第１ねじ山４１１よりも粗いピッチを有する螺旋状の第２ねじ山４１３が形成されてなる、正逆自在に回転するリードスクリュー４１０が備えられている。このリードスクリュー４１０は、本発明にいうリードスクリューの一例に相当する。
【００９３】
また、リードスクリュー４１０には、リードスクリュー４１０に形成された第１ねじ山４１１と噛合する第１噛合部４２１１と、リードスクリュー４１０に形成された第２ねじ山４１３と噛合する第２噛合部４２１２とを有するナット４２１が噛合している。このナット４２１には、フォーカスレンズ１１３を保持するフォーカスレンズ保持枠４２２が固定されており、フォーカスレンズ保持枠４２２は、図示しないガタ取りバネによって付勢されることによりデジタルカメラ１００の筐体１００ａに対して常に位置決めされている。フォーカスモータ１１３ｂが駆動してリードスクリュー４１０が回転すると、ナット４２１がリードスクリュー４１０に沿って移動することにより、フォーカスレンズ１１３が光軸方向に移動する。このナット４２１とフォーカスレンズ保持枠４２２とを合わせたものは、本発明にいう移動ユニットの一例に相当する。
【００９４】
第３実施形態のフォーカスレンズ駆動装置４００では、図７に示すように、リードスクリュー４１０の第１ねじ山４１１と噛合するナット４２１の第１噛合部４２１１がねじ山の欠除した欠除部分４１２に移動して第１ねじ山４１１と第１噛合部４２１１との噛み合いが外れたときに、ナット４２１の第２噛合部４２１２がリードスクリュー４１０の第２ねじ山４１３に噛合する。従って、リードスクリュー４１０を逆回転させて、第２噛合部４２１２が第２ねじ山４１３に噛合した状態から、第１噛合部４２１１が第１ねじ山４１１に噛合する状態に復帰するに当たり、ナット４２１の姿勢が安定することとなるため、安定して復帰することができる。
【００９５】
また、ナット４２１がフォーカスモータ１１３ｂから遠ざかる案内方向に移動し、リードスクリュー４１０の第１ねじ山４１１が形成された部分の端を越えて更に移動すると、第１ねじ山４１１と噛合する第１噛合部４２１１はねじ山が欠除した欠除部分４１２に移動することとなるため、第１ねじ山４１１と第１噛合部４２１１とのねじの噛み合いが外れ、ナット４２１の第１噛合部４２１１がリードスクリュー４１０の第１ねじ山４１１に乗り上げてしまう「食い付き」の発生が確実に防止される。そのため、図４に示す第１実施形態や図５に示す第２実施形態と同様に、端点位置に移動してきたフォーカスレンズ１１３が動かなくなってしまう不具合が回避され、フォーカスレンズ１１３を確実に移動させることができ、デジタルカメラ１００の信頼性が向上する。
【００９６】
以上で、本発明の第３実施形態の説明を終了する。
【００９７】
尚、上述した各実施形態では、ナットがリードスクリューに形成されたねじ山と噛合した例について説明したが、本発明にいう移動ユニットは、これに限られるものではなく、スクリュー軸と噛合してリードスクリューの回転によって移動するものであればよい。
【００９８】
また、上述した各実施形態では、本発明にいう光学部材が、フォーカスレンズである例について説明したが、本発明にいう光学部材は、これに限られるものではなく、例えばズームレンズやフィルタなどであってもよい。
【００９９】
また、上述した各実施形態では、本発明の撮影装置が、デジタルカメラである例について説明したが、本発明の撮影装置は、これに限られるものではなく、例えば銀塩カメラや撮影機能を有する携帯電話などであってもよい。
【０１００】
また、上述した各実施形態では、本発明にいう撮像素子が、ＣＣＤである例について説明したが、本発明にいう撮像素子は、これに限られるものではなく、例えばＣＭＯＳセンサなどであってもよい。
【図面の簡単な説明】
【０１０１】
【図１】本発明の撮影装置の一実施形態であるデジタルカメラを前面斜め上から見た外観斜視図である。
【図２】図１に示すデジタルカメラを背面斜め上から見た外観斜視図である。
【図３】図１，図２に示すデジタルカメラのブロック図である。
【図４】図３に示すフォーカスレンズを光軸方向に移動させるフォーカスレンズ駆動装置の概略構成図である。
【図５】本発明の第２実施形態であるフォーカスレンズ駆動装置の概略構成図である。
【図６】本発明の第３実施形態であるフォーカスレンズ駆動装置の概略構成図である。
【図７】本発明の第３実施形態であるフォーカスレンズ駆動装置の概略構成図である。
【符号の説明】
【０１０２】
１００    デジタルカメラ
１００ａ    筐体
１０１    撮影レンズ
１０２    光学式ファインダ対物窓
１０３    閃光発光装置
１０４    電源ボタン
１０５    シャッタレリーズボタン
１０６    光学式ファインダ接眼窓
１０７１    メニューボタン
１０７２    ズーム操作キー
１０７２ａ，１０７２ｂ    操作部
１０７３    十字キー
１０７４    実行ボタン
１０８    ＬＣＤパネル
１１１    ズームレンズ
１１１ａ    モータドライバ
１１１ｂ    ズームモータ
１１２    アイリス
１１２ａ    モータドライバ
１１２ｂ    絞りモータ
１１３    フォーカスレンズ
１１３ａ    モータドライバ
１１３ｂ    フォーカスモータ
１１４    ＣＣＤ
１１４ａ    タイミングジェネレータ
１２１    ＣＤＳ−ＡＭＰ
１２２    Ａ／Ｄ変換部
１２３    メモリコントローラ
１２４    ＡＦ値判断部
１２５    画像信号処理部
１２６    ＣＰＵ
１２７    ＡＦ検出部
１２８    ビデオエンコーダ
１２９    メディアコントローラ
１３０    ＲＯＭ
１３１    Ｅ２ＰＲＯＭ
１３２    ＲＡＭ
１４０    画像表示装置
１５０    記憶メディア
１６１    シャタスイッチ
１６２    電源スイッチ
１６３    メニュースイッチ
１６４    十字キースイッチ
２００，３００，４００    フォーカスレンズ駆動装置
２１０，４１０    リードスクリュー
２１１    ねじ山
４１１    第１ねじ山
４１２    欠除部分
４１３    第２ねじ山
２２１，４２１    ナット
４２１１    第１噛合部
４２１２    第２噛合部
２２２，３２２，４２２    フォーカスレンズ保持枠
３２２ａ    導電体で形成された部分
２２３    センサ
２３１    ＨＰ検出部
２３２    第１メカ端検出部
２３３    第２メカ端検出部
３３０    電気接片
【図１】
2008083173.tif 000003
【図２】
2008083173.tif 000004
【図３】
2008083173.tif 000005
【図４】
2008083173.tif 000006
【図５】
2008083173.tif 000007
【図６】
2008083173.tif 000008
【図７】
2008083173.tif 000009